(57)【要約】【課題】複数種類の棒状化粧品を必要に応じて付け替えて使用することが可能であり、交換時に於ける或いは取り外した棒状化粧品の品質保全も万全な繰出容器を提案する。【解決手段】回転体Ａの回転軸12を下部中央に収納して回転体の頂板部11上に回転可能に載置させた筒状のケース体Ｂと、ケース体Ｂ内周面に相互の回転を防止して上下動可能に嵌合させた昇降筒30より延設したフランジ32の内周縁に、それぞれ外方へ傾倒付勢された複数の揺動片33…を揺動可能に立設し、且つ、各揺動片33…の内面にそれぞれ螺条分34を刻設したリフトＣと、各揺動片33…を付勢に抗して内方へ傾倒させて各揺動片33…外周に離脱可能に嵌合筒41を嵌合させることで各螺条分34…を螺条15に螺合させ、且つ、嵌合筒41上に皿部40を有する中皿Ｄとを備え、ケース体Ｂに対する回転体Ａの相対回転によりリフトＣが上下動することで中皿Ｄが上下動する如く構成した。【選択図】図１
2011120803.tif 000002
【特許請求の範囲】
【請求項１】
筒状の把持部10より延設した頂板部11中央に回転軸12を起立するとともに、回転軸12外周に螺条15を刻設した回転体Ａと、下部中央に回転軸12を収納して頂板部11上面周縁部に回転可能に載置するとともに、内周面下部を回転軸12外面下部に抜け出しを防止して回転可能に係合させた上下端開口の筒状をなすケース体Ｂと、ケース体Ｂ内周面に相互の回転を防止して上下動可能に嵌合させた昇降筒30より延設したフランジ32の内周縁に、それぞれ外方へ傾倒付勢された複数の揺動片33…を揺動可能に立設し、且つ、各揺動片33…の内面にそれぞれ螺条分34を刻設したリフトＣと、各揺動片33…を付勢に抗して内方へ傾倒させて各揺動片33…外周に離脱可能に嵌合筒41を嵌合させることで各螺条分34…を螺条15に螺合させ、且つ、嵌合筒41上に皿部40を有する中皿Ｄとを備え、ケース体Ｂに対する回転体Ａの相対回転によりリフトＣが上下動することで中皿Ｄが上下動する如く構成したことを特徴とする繰出容器。
【請求項２】
各揺動片33…は、内面下部に下向きの係合段部35を形成してその下方を肉薄部33a として構成し、係合段部35下方の肉薄部33a 内面に環状の弾性材Ｆを嵌着して各揺動片33…を外方へ傾倒付勢させた請求項１記載の繰出容器。
【請求項３】
環状の弾性材ＦとしてＯ−リングFaを使用した請求項２記載の繰出容器。
【請求項４】
各揺動片33…の上端部外面コーナー部分にテ−パ部37を設け、テ−パ部37に嵌合筒41の下面を当接してのリフトＣの押し下げが可能に構成した請求項１乃至請求項３のいずれか一項に記載の繰出容器。
【請求項５】
中皿Ｄの最上昇時に、その周壁43の少なくとも上部がケース体周壁20上方に突出する如く構成した請求項１乃至請求項４のいずれか一項に記載の繰出容器。
【請求項６】
皿部周壁43の上端部外周に小径部43a を形成した中皿Ｄと、該小径部43a に周壁61下端部を着脱自在に嵌合させて棒状化粧品Ｇを被覆する仮蓋60とからなるレフィール容器を備えている請求項１乃至請求項５のいずれか一項に記載の繰出容器。
【発明の詳細な説明】
【技術分野】
【０００１】
本発明は繰出容器に関する。
【背景技術】
【０００２】
繰出容器として、例えば、棒状化粧品を出し入れできる形態のものが一般的に知られており、これらの棒状化粧品として、例えば口紅やリップクリーム等が挙げられる。（例えば、特許文献１或いは特許文献２を参照）
【０００３】
特許文献１に記載された繰出容器は、下部を把持部とした主筒と、主筒外周に回動可能に嵌合させた嵌合筒と、主筒内に上下動可能に嵌合させるとともに、棒状化粧品の下端部を固定した化粧品固定筒とを備え、主筒と回動筒の相対回動により化粧品固定筒が上下動する昇降機構を備えている。
【０００４】
特許文献２に記載された繰出容器は、主筒内に外筒の下部を回動可能に嵌合させるとともに、その内周に回動可能に嵌合させた内筒の下端と主筒の下端をカム部で連繋させ、また、内筒内に昇降可能に設けた中皿外面の突起を内筒の案内切溝を介して外筒内面の案内凹溝に嵌合して主筒と外筒と相対回動により中皿が上下動する如く構成している。また、最下降状態の中皿を更に下降させる方向へ主筒を回動させた際にカム部の作用で内筒の係合が解除され、内筒を中皿ごと下方へ抜き出しできる如く構成している。
【先行技術文献】
【特許文献】
【０００５】
【特許文献１】特開２００２−２９１５２４号公報
【特許文献１】特開２００１−２７５７４６号公報
【発明の概要】
【発明が解決しようとする課題】
【０００６】
従来の繰出容器は、上記した如く、一般に棒状化粧品が上下動可能に収納されたものであり、突出した棒状化粧品を使用後に再び収納する如く構成しているが、特許文献１に記載された繰出容器の如く一般に棒状化粧品等の充填物を使い切った後は容器を廃棄する如く構成されている。それに対し、特許文献２に記載された繰出容器の如く、棒状化粧品を使用最中に取り外すことができる如く構成したものも提案されている。
【０００７】
本発明は上記後者の如く棒状化粧品の取り外しが可能であり、棒状化粧品を使い切った後の中皿及び棒状化粧品のみの交換が可能であり、また、使用中に種類の相違する棒状化粧品への一時的な交換も可能であり、複数種類の棒状化粧品を必要に応じて付け替えて使用することが可能である繰出容器を提案する。しかも、簡単な操作での交換が可能であり、また、交換時に於ける或いは取り外した棒状化粧品の品質保全も万全な繰出容器を提案する。
【課題を解決するための手段】
【０００８】
第１の手段として、以下の通り構成した。即ち、筒状の把持部10より延設した頂板部11中央に回転軸12を起立するとともに、回転軸12外周に螺条15を刻設した回転体Ａと、下部中央に回転軸12を収納して頂板部11上面周縁部に回転可能に載置するとともに、内周面下部を回転軸12外面下部に抜け出しを防止して回転可能に係合させた上下端開口の筒状をなすケース体Ｂと、ケース体Ｂ内周面に相互の回転を防止して上下動可能に嵌合させた昇降筒30より延設したフランジ32の内周縁に、それぞれ外方へ傾倒付勢された複数の揺動片33…を揺動可能に立設し、且つ、各揺動片33…の内面にそれぞれ螺条分34を刻設したリフトＣと、各揺動片33…を付勢に抗して内方へ傾倒させて各揺動片33…外周に離脱可能に嵌合筒41を嵌合させることで各螺条分34…を螺条15に螺合させ、且つ、嵌合筒41上に皿部40を有する中皿Ｄとを備え、ケース体Ｂに対する回転体Ａの相対回転によりリフトＣが上下動することで中皿Ｄが上下動する如く構成した。
【０００９】
第２の手段として、以下の通り構成した。即ち、前記第１の手段に於いて、各揺動片33…は、内面下部に下向きの係合段部35を形成してその下方を肉薄部33a として構成し、係合段部35下方の肉薄部33a 内面に環状の弾性材Ｆを嵌着して各揺動片33…を外方へ傾倒付勢させた。
【００１０】
第３の手段として、以下の通り構成した。即ち、前記第２の手段に於いて、環状の弾性材ＦとしてＯ−リングFaを使用した。
【００１１】
第４の手段として、以下の通り構成した。即ち、前記第１の手段乃至第３の手段のいずれか一つの手段に於いて、各揺動片33…の上端部外面コーナー部分にテ−パ部37を設け、テ−パ部37に嵌合筒41の下面を当接してのリフトＣの押し下げが可能に構成した。
【００１２】
第５の手段として、以下の通り構成した。即ち、前記第１の手段乃至第４の手段のいずれか一つの手段に於いて、中皿Ｄの最上昇時に、その周壁43の少なくとも上部がケース体周壁20上方に突出する如く構成した。
【００１３】
第６の手段として、以下の通り構成した。即ち、前記第１の手段乃至第５の手段のいずれか一つの手段に於いて、皿部周壁43の上端部外周に小径部43a を形成した中皿Ｄと、該小径部43a に周壁61下端部を着脱自在に嵌合させて棒状化粧品Ｇを被覆する仮蓋60とからなるレフィール容器を備えている。
【発明の効果】
【００１４】
本発明によれば、中皿Ｄを引き抜くことで簡単に取り外すことができ、また、レフィール容器Ｈを上方から押し込むだけで簡単に装着することができ、その交換が極めて簡単である。また、筒状の把持部10を備えているため、回転体Ａの回転が行い易い。更に、棒状化粧品Ｇは上下動するだけで回動しないため、棒状化粧品Ｇの無駄な動きを極力排除して不必要な動きから生じる不必要な摩擦等から亀裂等が生じることを極力防止できる。
【００１５】
また、リフトＣは、ケース体Ｂ内周面に相互の回転を防止して上下動可能に嵌合させた昇降筒30より延設したフランジ32の内周縁に、それぞれ外方へ傾倒付勢された複数の揺動片33…を揺動可能に立設し、且つ、各揺動片33…の内面にそれぞれ螺条分34を刻設しており、また、各揺動片33…を付勢に抗して内方へ傾倒させて各揺動片33…外周に離脱可能に中皿Ｄの嵌合筒41を嵌合させることで各螺条分34…を螺条15に螺合させる如く構成しているので、嵌合筒41の嵌合がない場合には各揺動片33…は回転軸12から離れており、リフトＣを下方へ押すだけで簡単に押し下げることができ、リフトＣ最下降位置で確実に嵌合筒41の各揺動片33…外面への嵌合が可能となる。
【００１６】
各揺動片33…は、内面下部に下向きの係合段部35を形成してその下方を肉薄部33a として構成し、係合段部35下方の肉薄部33a 内面に環状の弾性材Ｆを嵌着して各揺動片33…を外方へ傾倒付勢させた場合には、弾性材Ｆの組み付け操作が極めて容易であり、しかも装着した弾性材Ｆにより各揺動片33の外方付勢をより均等に行える利点がある。
【００１７】
環状の弾性材ＦとしてＯ−リングFaを使用した場合には、同様に組み付け操作が容易であるとともに、適度の柔軟性により中皿Ｄの嵌合筒41の着脱をより容易に行える利点もある。
【００１８】
各揺動片33…の上端部外面コーナー部分にテ−パ部37を設け、テ−パ部37に嵌合筒41の下面を当接してのリフトＣの押し下げが可能に構成した場合には、中皿ＤによりリフトＣの最下降位置までの押し下げの後、嵌合筒41が各テ−パ部37を介して各揺動片33…の外面へ移行し、より円滑な嵌合が可能となる。
【００１９】
中皿Ｄの最上昇時に、その周壁43の少なくとも上部がケース体周壁20上方に突出する如く構成した場合には、中皿Ｄを取り外す際に皿部周壁43を掴んで簡単に行える利点がある。
【００２０】
皿部周壁43の上端部外周に小径部43a を形成した中皿Ｄと、該小径部43a に周壁61下端部を着脱自在に嵌合させて棒状化粧品Ｇを被覆する仮蓋60とからなるレフィール容器を備えている場合には、棒状化粧品Ｇを使い切った場合のみならず必要に応じて棒状化粧品Ｇの交換が可能であり、複数の棒状化粧品Ｇを好みに応じて即時に使用することができる利点がある。その場合、仮蓋60がレフィール容器Ｈの装着時に押込み用として役に立つ。
【図面の簡単な説明】
【００２１】
【図１】繰出容器の半断面図である。（実施例１）
【図２】リフトの斜視図である。（実施例１）
【図３】中皿を外す際の説明図である。（実施例１）
【図４】中皿を外した際の説明図である。（実施例１）
【図５】リフトの係脱を説明する要部拡大説明図である。（実施例１）
【図６】レフィール容器の装着を説明する説明図である。（実施例１）
【図７】レフィール容器の装着を説明する説明図である。（実施例１）
【図８】レフィール容器の装着を説明する説明図である。（実施例１）
【図９】レフィール容器の装着を説明する説明図である。（実施例１）
【図１０】レフィール容器の装着を説明する説明図である。（実施例１）
【発明を実施するための形態】
【００２２】
以下、本発明の形態を図面を参照して説明する。
【００２３】
図１乃至図10は繰出容器１の一例を示す。繰出容器１は、回転体Ａと、ケース体Ｂと、リフトＣと、中皿Ｄと、キャップＥとを備えている。
【００２４】
回転体Ａは、筒状の把持部10の上端より頂板部11を延設し、頂板部11の中央より上方へ回転軸12を起立している。回転軸12は下端部を大径部12a に形成し、大径部外周に係止凹部13を周設するとともに、係止凹部13の直上に一対の抜止突部14を突設している。また、抜止突部14の上方外周に螺条15を刻設している。更に、頂板部11の上面外周には環状凹部16を凹設している。また、把持部10の外周にはローレット17を刻設している。
【００２５】
ケース体Ｂは、上下端開口の円筒状をなし、周壁20内周下部には、フランジ部21を介して周方向複数の係合突片22を突設している。各係合突片22は中心側に向かってそれぞれ上昇し、先端を係止凹部13の上端部に係合させて、回転体Ａとケース体Ｂとの相互の回転が可能で、回転体Ａに対するケース体Ｂの上方への抜け出しを防止する。また、内周面のフランジ部21上方所定位置には、周方向等間隔に案内機構を構成する案内凹溝23を縦設している。本例では、ケース体Ｂを回転体Ａに装着した際に回転軸12の上面と同レベルに案内凹溝23の上端が位置する如く構成している。更に、周壁20外周上端部は上向き段部24を介して外面を縮径し、縮径部分の外面をキャップＥ嵌合用の嵌合部とし、嵌合部に係止用の突条25を周設している。
【００２６】
そして、ケース体Ｂの下端部を環状凹部16に嵌合させるとともに、各係合突片22を回転軸12の係止凹部13に係止させて、相互の回転が可能に、且つ上方への抜け出しを防止して回転体Ａに対してケース体Ｂを組み付けている。
【００２７】
リフトＣは、ケース体Ｂ内周面に相互の回転を防止して上下動可能に嵌合させた昇降筒30を備えている。昇降筒30の外面には、ケース体Ｂの内面に設けた案内凹溝23に摺動可能に嵌合する案内突条31を周方向複数突設している。また、昇降筒30の内周下部より延設したフランジ32の内周縁上面に周方向複数の揺動片33を起立している。各揺動片33はフランジ32との連結部位を中心として内外方向に揺動が可能に形成されており、常時弾性材Ｆにより外方へ付勢されている。また、内面には外方向への付勢に抗して内方へ傾倒起立させた際に回転軸12の螺条15と螺合する螺条分34をそれぞれ刻設している。
【００２８】
本例に於ける揺動片33は、図３及び図４の要部をそれぞれ(a) 、(b) として図５に拡大図で示す如く、肉薄部33a 上に、 内面を肉薄部33a 内方へ突出して下面に下向きの係合段部35を形成した肉厚部33b を立設している。肉厚部33b は平面視円弧板状に形成され、内面の円弧状湾曲面に螺条分34を刻設している。肉薄部33a の内面には弾性材ＦとしてのＯ−リングFaを係止するための係止突条部36を突設している。Ｏ−リングFaとしては、ニトリルゴムの如きエラストマー等により形成されたリング状の一般的なものが使用される。また、肉厚部33b の外周上端部はテ−パ部37に形成し、その下方に係止突条38を突設している。尚、弾性材Ｆとしては上記Ｏ−リングFaに限らず、金属製のリングで形成されたものであっても良く、或いは金属製の場合には開環状に形成されたものであっても良い。
【００２９】
中皿Ｄは、棒状化粧品Ｇを嵌合載置した皿部40の下面より嵌合筒41を垂設している。皿部40は底壁42の周縁部より周壁43を起立し、周壁43の外周上端部は小径部43a に形成している。嵌合筒41は、皿部40下面から垂設し、下端部内周を下向き段部44を介して大径の嵌合部41a に形成し、嵌合部41a の内面に係合突条45を突周設している。そして、リフトＣの最下降位置に於いて、嵌合部41a の係合突条45が各揺動片33の係止突条38に離脱可能に乗り越え係合して各揺動片33の外周に嵌合部41a が嵌合し、その際皿部40及び棒状化粧品Ｇがケース体Ｂ内に収納される如く構成されている。
【００３０】
キャップＥは、ケース体周壁20上端部の縮径部分に下部を着脱可能に嵌合させた周壁部50の上端より頂壁部51を延設して構成している。
【００３１】
上記の如く構成された繰出容器１を使用する場合には、図１の状態からキャップＥを外し、ケース体に対して回転体Ａを所定方向に回転させると、回転軸12の螺条15の回転が各揺動片33の螺条分34に伝達され、その際ケース体Ｂの案内凹溝23と昇降筒30の案内突条31との係合によりケース体ＢとリフトＣとの相互の回転が防止されているため、リフトＣはケース体Ｂに対して真っ直ぐ上昇する。これにより、ケース体Ｂの上端部より棒状化粧品Ｇの先端を突出させて使用する。使用後は、ケース体Ｂに対して回転体Ａを上記と逆方向に回転させるリフトＣが下降し、それに伴って中皿Ｄが下降してもとの状態に戻り、キャップＥをして保管する。
【００３２】
また、この様な繰出容器１の棒状化粧品Ｇが無くなった場合には、例えば上記と同様の操作で、図３に示す如く、リフトＣを最上昇位置まで上昇させ、その状態から皿部40の周壁43を掴んで強制的に上方に引き上げれば、図４に示す如く、中皿Ｄを取り外すことができる。その際、リフトＣの各揺動片33はＯ−リングFaにより外方へ押圧傾倒され、螺条15から螺条分34が離れる。
【００３３】
そして新たな棒状化粧品Ｇを装着することができる。新たな棒状化粧品Ｇは、図６に示す如きレフィール容器Ｈに充填されている。レフィール容器は、中皿Ｄと、棒状化粧品Ｇと、仮蓋60とから構成されている。中皿Ｄ及び棒状化粧品Ｇは前記したものと同様であり、仮蓋60は、皿部40の小径部43a に下端部を嵌合させて棒状化粧品外周に嵌合させた周壁61の上端縁より頂板62を延設し、また、周壁61上端部より外方へフランジ状の指掛け部63を突設している。
【００３４】
レフィール容器Ｈを装着する場合には、例えば図６に示す如く、中皿Ｄを取り外した容器の上方からレフィール容器Ｈを挿入し、図７に示す如く、各揺動片33のテーパ部37に嵌合筒41の下端部を当接させて押し下げると、リフトＣはそのまま押し下げられて、図８に示す如く、昇降筒30の下面がケース体Ｂのフランジ部21上面に当接する最下降位置まで押し下げられる。次いで、なおもレフィール容器Ｈを押し下げると、図９に示す如く、嵌合部41a がＯ−リングFaの外方付勢力に抗して各揺動片33を内方へ回動正立させ、各螺条分34を螺条15外周に螺合させるとともに、嵌合部41a の係合突条45が各揺動片33の係止突条38に乗り越え係合する。次いで、図10に示す如く、仮蓋60を外し、キャップＥを装着して図１の内容物を交換した状態となる。
【符号の説明】
【００３５】
１…繰出容器
Ａ…回転体
10…把持部，11…頂板部，12…回転軸，12a …大径部，13…係止凹部，
14…抜止突部，15…螺条，16…環状凹部，17…ローレット
Ｂ…ケース体
20…周壁，21…フランジ部，22…係合突片，23…案内凹溝，24…上向き段部，
25…係止用の突条
Ｃ…リフト
30…昇降筒，31…案内突条，32…フランジ，33…揺動片，33a …肉薄部，
33b …肉厚部，34…螺条分，35…係合段部，36…係止突条部，37…テ−パ部，
38…係止突条
Ｄ…中皿
40…皿部、41…嵌合筒，41a …嵌合部，42…底壁，43…周壁，43a …小径部，
44…下向き段部，45…係合突条
Ｅ…キャップ
50…周壁部，51…頂壁部
Ｆ…弾性材
Fa…Ｏ−リング
Ｇ…棒状化粧品
Ｈ…レフィール容器
60…仮蓋，61…周壁，62…頂板，63…指掛け部
【図１】
2011120803.tif 000003
【図２】
2011120803.tif 000004
【図３】
2011120803.tif 000005
【図４】
2011120803.tif 000006
【図５】
2011120803.tif 000007
【図６】
2011120803.tif 000008
【図７】
2011120803.tif 000009
【図８】
2011120803.tif 000010
【図９】
2011120803.tif 000011
【図１０】
2011120803.tif 000012